(57)【要約】【課題】動作特性を向上することができる液晶表示装置を開示する。【解決手段】画像表示装置は外部物体から入力光が印加される表示面、表示面と平行な平面を形成するように配列された色画素を有するカラーフィルタ、色画素のうち、いずれかに対応して向い合うように配置され、対応色画素を通じて提供された光を感知する少なくとも１つの光感知部を有する基板、及びカラーフィルタ基板と基板との間に配置された液晶層を含む。基板は、マトリクス形態に配列され、画像を表示する複数の画素部を含む。光感知部は、前記入力光及びゲート信号によって制御され、センサーラインに連結されるスイッチングトランジスタを含む。
2006522980.tif 000002
【特許請求の範囲】
【請求項１】
画像及び制御信号に応答して画像を表示する表示装置において、
外部物体から入力光が印加される表示面と、
前記表示面と平行な平面を形成するように配列された色画素を有するカラーフィルタと、
前記色画素のうち、いずれか１つに対応して向い合うように配置され、前記対応色画素を通じて提供された光を感知する少なくとも１つの光感知部を有する基板を含むことを特徴とする表示装置。
【請求項２】
前記カラーフィルタと前記基板との間に配置された液晶層を更に含むことを特徴とする請求項１記載の表示装置。
【請求項３】
前記対応色画素は、赤色光を前記少なくとも１つの光感知部に提供するための赤色色画素であることを特徴とする請求項１記載の表示装置。
【請求項４】
前記赤色光は、６００ｎｍ〜７００ｎｍの波長を有することを特徴とする請求項３記載の表示装置。
【請求項５】
前記外部物体から印加された前記入力光は、白色光であることを特徴とする請求項３記載の表示装置。
【請求項６】
前記外部物体から印加された前記入力光は、６００ｎｍ〜７００ｎｍの波長を有する赤色光であることを特徴とする請求項１記載の表示装置。
【請求項７】
前記基板は、マトリクス形態で配列され、前記画像及び制御信号によって画像を表示する複数の画素部を更に含むことを特徴とする請求項１記載の表示装置。
【請求項８】
前記少なくとも１つの光感知部は、複数の光感知部を含み、前記光感知部それぞれは所定個数の前記画素部を有する領域に配置されることを特徴とする請求項７記載の表示装置。
【請求項９】
前記光感知部の個数は、単位面積当たり前記画素部の個数より小さいことを特徴とする請求項８記載の表示装置。
【請求項１０】
前記光感知部それぞれの大きさは、前記画素部それぞれの大きさより小さいことを特徴とする請求項８記載の表示装置。
【請求項１１】
前記画素部それぞれは、
ゲート信号を提供するゲートラインと、
画像データ信号を提供するデータラインと、
前記データラインと前記基板上に配置された画素電極との間の導電経路を有し、前記ゲート信号によって制御される第１スイッチング素子と、
を含むことを特徴とする請求項７記載の表示装置。
【請求項１２】
前記少なくとも１つの光感知部は、
前記対応色画素を通じて提供された前記光によって調節され、前記光に応答して第１信号を生成する第２スイッチング素子と、
前記第２スイッチング素子と電気的に連結された第１センサーラインと、
ゲートラインを通じて提供された第２信号によって調節され、前記第２信号に応答して前記第２スイッチング素子から生成された前記第１信号を第２センサーラインに伝達する第３スイッチング素子と、
を含むことを特徴とする請求項１記載の表示装置。
【請求項１３】
前記第２スイッチング素子は、
前記第１センサーラインに共通に連結されたゲート電極及びソース電極と、
前記第３スイッチング素子に連結されたドレイン電極と、
を含むトランジスタであることを特徴とする請求項１２記載の表示装置。
【請求項１４】
前記第３スイッチング素子は、
前記ゲートラインに連結されたゲート電極と、
前記第２スイッチング素子と前記第２センサーラインとの間に連結された導電経路と、
を含むトランジスタであることを特徴とする請求項１３記載の表示装置。
【請求項１５】
前記データライン及び前記ゲートラインは画素部の第１スイッチング素子と連結されて画像を表示し、前記第１信号はデータ駆動信号として前記第１スイッチング素子に提供され、前記第２信号はゲート駆動信号として前記第１スイッチング素子に提供されることを特徴とする請求項１４記載の表示装置。
【請求項１６】
前記第１センサーラインは、前記ゲートラインと平行な方向に配置され、前記第２センサーラインは、前記データラインと平行な方向に配置されることを特徴とする請求項１４記載の表示装置。
【請求項１７】
前記外部物体は、前記入力光を発生する発光ダイオードを有するライトペンであることを特徴とする請求項１記載の表示装置。
【発明の詳細な説明】
【技術分野】
【０００１】
本発明は液晶表示装置に係わり、より詳細には動作特性を向上させることができる液晶表示装置に関する。
【背景技術】
【０００２】
一般的に、タッチパネルは画像表示装置の画面上に示された支持内容を人の手または物体を用いて選択することができるように、画像表示装置の最も前面側に具備され、手及び物体に直接的に接触される。タッチパネルは、接触された位置を把握し、画像表示装置は接触された位置に対応して発生される入力信号に応答して駆動される。
タッチパネルを有する画像表示装置は、キーボードおよびマウスのように画像表示装置に連結され動作する別途の入力装置を必要としないため、次第に広く使われている。最近では、タッチパネルが液晶表示装置にも用いられていて、タッチパネルを有する液晶表示装置は、一般的に画像を表示する液晶表示パネル及び前記液晶表示パネルの前面側に具備され、使用者から所定の圧力を受けて、位置情報を検出するタッチパネルを含む。
【０００３】
タッチパネルは、第１基板、前記第１基板から所定間隔だけ離間した第２基板、前記第１基板と第２基板とが互いに向い合う面にそれぞれ形成される第１透明電極及び第２透明電極で構成される。液晶表示装置は、液晶表示パネルとタッチパネルとの間に空気層が形成されるフレームを用いるか接着剤を用いる。液晶表示パネルとタッチパネルとの間に形成された層、例えば、空気層は液晶表示パネル及びタッチパネルと互いに異なる屈折率を有する。これによって、液晶表示装置の全体的な光学的特性が低下する。
【０００４】
また、タッチパネルが適用された液晶表示装置は、タッチパネルの内部に具備された第１透明電極及び第２透明電極、第１基板及び第２基板を更に具備するので、液晶表示装置の製造原価及び全体的な厚さが増加する。
【発明の開示】
【発明が解決しようとする課題】
【０００５】
前述した従来の問題点は、本発明の画像表示装置によって克服される。本発明は、表示パネルを通じてデータの入力を受けて処理する画像表示装置を提供する。
【課題を解決するための手段】
【０００６】
一実施例として、画像表示装置は、外部物体から入力光が印加される表示面と、前記表示面と平行な平面を形成するように配列された色画素を有するカラーフィルタと、前記色画素のうち、いずれか１つに対応して向い合うように配置され、前記対応色画素を通じて提供された光を感知する少なくとも１つの光感知部を有する基板を含む。前記基板は、マトリクス形態で配置され、画像を表示する複数の画素部を含む。
【０００７】
前記画素部それぞれは、ゲート信号を提供するゲートライン、画像データ信号を提供するデータライン、及び前記データラインと前記基板上に配置された画素電極との間の導電経路を有し、前記ゲート信号によって制御される第１スイッチング素子を含む。前記光感知部は、前記対応色画素を通じて提供された前記光によって調節され、前記光に応答して第１信号を生成する第２スイッチング素子、前記第２スイッチング素子と電気的に連結された第１センサーライン、ゲートラインを通じて提供された第２信号によって調節され、前記第２信号に応答して前記第２スイッチング素子から生成された前記第１信号を第２センサーラインに伝達する第３スイッチング素子を含む。
【発明を実施するための最良の形態】
【０００８】
図１は、本発明の一実施例による液晶表示装置を示した断面図であり、図２は、図１に示したカラーフィルタ基板を示した平面図であり、図３は、図１に示したアレイ基板を示した平面図である。
図１及び図３を参照すると、本発明の一実施例による液晶表示装置は、アレイ基板１００、前記アレイ基板１００と向い合うカラーフィルタ基板２００、及び前記アレイ基板１００と前記カラーフィルタ基板２００との間に介在される液晶層３００で構成され、画像を表示する液晶表示装置パネル４００を含む。
【０００９】
前記アレイ基板１００は、マトリクス形態で形成され、画像を表示するための複数の画素部（ＰＰ）、及び前記液晶表示パネル３００の表示面４１０から入力される光を感知して前記光が提供された位置情報を発生させるための複数の光感知部（ＬＳＰ）を具備する。
ここで、前記アレイ基板１００の全体面積における前記光感知部（ＬＳＰ）が占める面積は、前記画素部（ＰＰ）が占める面積より小さい。また、前記光感知部（ＬＳＰ）の間に前記複数の画素部（ＰＰ）が具備されることによって、前記アレイ基板１００における前記複数の画素部（ＰＰ）の密度より前記光感知部（ＬＳＰ）の密度が低くなる。したがって、前記光感知部（ＬＳＰ）によって前記液晶表示パネル４００の開口率が低下することを防止することができる。
【００１０】
図１及び図２を参照すると、前記カラーフィルタ基板２００は、ＲＧＢ色画素で構成されたカラーフィルタ２１０が具備された基板である。
図２に示したように、前記Ｒ色画素に隣接して前記Ｇ色画素が具備され、前記Ｇ色画素に隣接して前記Ｂ色画素が具備される。また、前記Ｂ色画素に隣接して前記Ｒ画素が具備される。前記Ｒ色画素は前記カラーフィルタ基板２００の一段部から他段部まで延びるストライプ形状を有し、前記Ｇ色画素及びＢ色画素も前記Ｒ色画素と並ぶ方向に延びるストライプ形状を有する。
【００１１】
前記カラーフィルタ２１０のうち、前記Ｒ色画素は、前記光感知部（ＬＳＰ）と向い合うように配置される。したがって、前記液晶表示パネル４００の表示面４１０を通じて入射した白色光（ＷＬ）は、前記Ｒ色画素を通過して赤色光（ＲＬ）に変更された後、前記光感知部（ＬＳＰ）に提供される。ここで、前記Ｒ色画素を通過した赤色光（ＲＬ）は６００〜７００ｎｍの波長を有する。前記赤色光（ＲＬ）は６００〜６６０ｎｍの波長を有することがより望ましい。
【００１２】
一方、前記白色光（ＷＬ）は、前記液晶表示パネル４００の外部から使用者がライトペン８００を通じて提供する光である。前記ライトペン８００は、前記液晶表示パネル４００の表示面４１０と接触される部分に前記白色光（ＷＬ）を発生する発光ダイオード（ＬＥＤ）８１０を内装する。
前記ＬＥＤ８１０から出射した前記白色光（ＷＬ）は、前記Ｒ色画素を通過した後、赤色光（ＲＬ）に変更され、前記光感知部（ＬＳＰ）に提供される。したがって、前記ＬＥＤ８１０が前記白色光（ＷＬ）を出射しても、前記白色光（ＷＬ）は前記Ｒ色画素を通過して赤色光（ＲＬ）に変更した後、前記光感知部（ＬＳＰ）に提供される。しかし、前記ＬＥＤ８１０は前記白色光（ＷＬ）でない赤色光（ＲＬ）を出射することもできる。即ち、前記ＬＥＤ８１０から出射された光は６００〜７００ｎｍの波長を有する。
【００１３】
図４は、光の波長によるＲＧＢ色画素の透過スペクトラムを示した波形図である。図４では、ＣＩＥ標準光源（ＣＩＥ  Ｓｔａｎｄａｒｄ  Ｉｉｌｌｕｍｉｎａｎｔ）Ｄ６５光源から発生された光を液晶表示パネルの表示面４１０に提供したときに実験した結果である。ここで、前記Ｄ６５は、色温度が６５０４Ｋに近接した昼光である。ここで、前記昼光は真昼の太陽光である。また、図４に示した波形図において、実線（ＬＲ）はＲ色画素を通過した光の透過スペクトラムを示し、太い点線（ＬＧ）はＧ色画素を通過した光の透過スペクトラムを示し、細い点線（ＬＢ）はＢ色画素を通過した光の透過スペクトラムをそれぞれ示す。但し、図４に示した波形図において、ｘ軸は光の波長（ｎｍ）であり、ｙ軸は光に対する色画素の透過率である。
【００１４】
図４を参照すると、ＲＧＢ色画素でそれぞれ入力される光の波長帯域が４００〜５００ｎｍである場合、前記Ｂ色画素を通過した青色光の透過率が前記Ｒ及びＧ色画素を透過した青色光及び緑色光の透過率より高いことを示している。また、前記入力光の波長帯域が５００〜６００ｎｍである場合、前記Ｇ色画素を通過した緑色光の透過率が前記Ｒ及びＢ色画素を透過した赤色光及び青色光の透過率より高いことを示している。前記入力光の波長帯域が６００〜７００ｎｍである場合、前記Ｒ色画素を透過した赤色光の透過率が前記Ｇ及びＢ色画素を透過した緑色及び青色光の透過率より高いことを示している。
【００１５】
ここで、全体的な波長範囲にて、前記Ｒ色画素を通過した赤色光に比べて前記Ｇ色画素及び前記Ｂ色画素を通過した光の透過率が小さく示された。即ち、前記Ｒ色画素を通過した赤色光は波長帯域６００〜７００ｎｍにて１００％近接する透過率を示した。また、透過率が高くなる光の波長帯域も前記青色光及び緑色光に比べて広い。
したがって、前記Ｒ色画素に入力される光が６００〜７００ｎｍの波長を有する光、即ち、赤色光である場合、前記Ｒ色画素を透過する赤色光の透過率が高くなるので前記光の感知部の感度を向上することができる。
【００１６】
前記液晶表示パネル４００の表示面４１０を通じて前記アレイ基板１００に具備された前記光感知部（ＬＳＰ）に提供される光源の種類及び前記光感知部（ＬＳＰ）と対応する色画素の種類による前記光感知部（ＬＳＰ）で発生するフォト電流は下記の表１に示したようである。
【００１７】
【表１】
2006522980.tif 000003
表１を参照すると、前記光感知部（ＬＳＰ）のフォト電流は前記光感知部（ＬＳＰ）が室内光、紫外線ＬＥＤ及び緑色ＬＥＤからの光の提供を受けるときより赤色光を出射する赤色ＬＥＤ及び赤色レーザから光の提供を受けるとき増加された。ここで、前記赤色ＬＥＤから出射した赤色光の波長は６３０ｎｍである。
【００１８】
また、前記光感知部（ＬＳＰ）が前記Ｇ色画素及びＢ色画素に対応するように配置される場合より前記Ｒ色画素に対応して配置されるとき、前記光感知部（ＬＳＰ）から発生されるフォト電流が増加した。特に、前記赤色ＬＥＤ及び赤色レーザから出射された赤色光が前記Ｒ色画素を通過する場合、前記光感知部（ＬＳＰ）から発生されるフォト電流が特に増加することが示された。
【００１９】
ここで、前記赤色ＬＥＤより前記赤色レーザを用いたとき、前記光感知部（ＬＳＰ）でのフォト電流が高く示されたのは、前記赤色ＬＥＤから出射した光の集光性より前記赤色レーザから出射した光の集光性が高いためである。表１に示したように、前記液晶表示パネル４００に内装された前記光感知部（ＬＳＰ）に赤色光を提供することが最も望ましい。ここで、前記赤色光は、前記ＬＥＤ自体から発生した光であるか、前記Ｒ色画素を通過した光である。
【００２０】
しかし、前記ＬＥＤ８１０が自体的に赤色光を発生しかつ、液晶表示装置は前記Ｒ色画素が前記光感知部（ＬＳＰ）と互いに対応する位置に形成された構造を有することができる。この場合、前記ＬＥＤ８１０から出射した赤色光は前記Ｒ色画素を通過した後、前記光感知部（ＬＳＰ）に提供される。それによって、前記光感知部（ＬＳＰ）の光を感知するための感度を更に向上することができる。
【００２１】
図５は、図１に示した液晶表示パネルを示した部分断面図であり、図６は、図５に示したアレイ基板を示した平面図である。
図５及び図６を参照すると、液晶表示パネル４００は、前記アレイ基板１００、前記アレイ基板と向い合う前記カラーフィルタ基板２００、及び前記アレイ基板１００とカラーフィルタ基板２００との間に介在される前記液晶層３００で構成される。
【００２２】
前記カラーフィルタ基板２００は、ＲＧＢ色画素で構成された前記カラーフィルタ基板２１０及び共通電極２２０を具備する基板である。前記カラーフィルタ２１０のうち、前記Ｒ色画素は前記光感知部（ＬＳＰ）と向い合うように配置される。したがって、前記液晶表示パネル４００の表示面４１０を通じて入射した白色光（ＷＬ）は、前記Ｒ色画素を通過して赤色光（ＲＬ）に変更した後、前記光感知部（ＬＳＰ）に提供される。
【００２３】
前記共通電極２２０は、透明性導電物質であるインジウムスズ酸化物（ＩＴＯ）、またはインジウム亜鉛酸化物（ＩＺＯ）で形成され、前記カラーフィルタ２１０上に均一な厚さで塗布される。
一方、アレイ基板１００は、前記複数の画素部（ＰＰ）及び複数の光感知部（ＬＳＰ）を具備する。前記複数の画素部（ＰＰ）それぞれは第１方向（Ｄ１）に延びるゲートライン（ＧＬ）、前記第１方向（Ｄ１）と直交する第２方向（Ｄ２）に延びるデータライン（ＤＬ）、前記ゲートライン（ＧＬ）と前記データライン（ＤＬ）にそれぞれ連結された第１薄膜トランジスタ（ＴＦＴ）（Ｔ１）及び前記第１ＴＦＴ（Ｔ１）に連結された透明電極（ＴＥ）及び反射電極（ＲＥ）を含む。
【００２４】
前記第１ＴＦＴ（Ｔ１）は、前記ゲートライン（ＧＬ）から分岐したゲート電極、前記データライン（ＤＬ）から分岐したソース電極及び前記透明電極（ＴＥ）と前記反射電極（ＲＥ）に連結されたドレイン電極で構成される。ここで、前記第１ＴＦＴ（Ｔ１）は、アモルファスシリコン（ａ−Ｓｉ）ＴＦＴである。
一方、前記複数の光感知部（ＬＳＰ）それぞれは、前記第１方向（Ｄ１）に延びる第１センサーライン（ＳＬ１）、前記第２方向（Ｄ２）に延びる第２センサーライン（ＳＬ２）、前記液晶表示パネル４００の外部から提供され、前記Ｒ色画素を通過した赤色光（ＲＬ）によって駆動される第２ＴＦＴ（Ｔ２）及び前記第２ＴＦＴ（Ｔ２）と電気的に連結された第３ＴＦＴ（Ｔ３）を含む。ここで、前記第２ＴＦＴ（Ｔ２）及び第３ＴＦＴ（Ｔ３）はａ−ＳｉＴＦＴである。
【００２５】
前記第２ＴＦＴ（Ｔ２）は、前記第１センサーライン（ＳＬ１）から分岐したゲート電極、前記データライン（ＤＬ）から分岐したソース電極及び前記第３ＴＦＴ（Ｔ３）に連結されたドレイン電極を具備する。前記第１センサーライン（ＳＬ１）は前記ゲートライン（ＧＬ）と同一層に形成されかつ、前記ゲートライン（ＧＬ）と所定間隔に離間した状態で互いに電気的に絶縁される。
【００２６】
前記第３ＴＦＴ（Ｔ３）は、前記ゲートライン（ＧＬ）から分岐したゲート電極、前記第２ＴＦＴ（Ｔ２）のソース電極と連結されたソース電極及び前記第２センサーライン（ＳＬ２）から分岐したドレイン電極を具備する。前記第２センサーライン（ＳＬ２）は前記データライン（ＤＬ）とは同一層に形成されかつ、前記データライン（ＤＬ）と所定間隔に離間した状態で互いに電気的に絶縁される。
【００２７】
前記透明電極（ＴＥ）は、前記第１〜第３ＴＦＴ（Ｔ１〜Ｔ３）をカバーする絶縁膜１１０上で前記第１ＴＦＴ（Ｔ１）のドレイン電極を露出させるコンタクトホール（ＣＯＮ）を通じて前記第１ＴＦＴ（Ｔ１）と電気的に連結される。ここで、前記透明電極（ＴＥ）は、ＩＴＯまたはＩＺＯで形成される。
一方、前記反射電極（ＲＥ）は、前記透明電極（ＴＥ）上に形成され、前記透明電極（ＴＥ）を部分的に露出させるための透過窓（Ｗ１）及び第２ＴＦＴ（Ｔ２）を部分的に露出させるための開口窓（Ｗ２）を具備する。前記反射電極（ＲＥ）は反射率が高いアルミニウムネオジウム（ＡｌＮｄ）からなる単一反射膜またはアルミニウムネオジウム（ＡｌＮｄ）とモリブデンタングステン（ＭｏＷ）からなる二重反射膜で構成することができる。
【００２８】
前記透過窓（Ｗ１）は、前記液晶表示装置自体から生成され、前記液晶表示パネル４００の後面から入射した第１光を透過する。また、前記反射電極（ＲＥ）は前記液晶表示装置の外部から提供される第２光が前記液晶表示パネル４００の表示面４１０を通じて入射するとき、前記第２光を反射する。一方、前記開口窓（Ｗ２）は前記第２ＴＦＴ（Ｔ２）を露出させることによって、前記液晶表示パネル４００の外部で使用者から提供される前記白色光（ＷＬ）は前記Ｒ色画素を経て前記赤色光（ＲＬ）に変更された後、前記第２ＴＦＴ（Ｔ２）を容易に印加することができる。
【００２９】
ここで、前記反射電極（ＲＥ）は、前記第１及び第３ＴＦＴをカバーすることによって、前記赤色光（ＲＬ）が前記第１ＴＦＴ（Ｔ１）及び第３ＴＦＴ（Ｔ３）に提供されることを遮断して前記第１予備（Ｔ１）及び第３ＴＦＴ（Ｔ３）が前記赤色光（ＲＬ）に反応することを防止する。
図７は、図６に示したアレイ基板の画素部及び光感知部の等価回路図である。
【００３０】
図７を参照すると、前記画素部（ＰＰ）は前記ゲートライン（ＧＬ）、データライン（ＤＬ）、ゲートとソースが前記ゲートライン（ＧＬ）とデータライン（ＤＬ）に連結された前記第１ＴＦＴ（Ｔ１）及び前記第１ＴＦＴ（Ｔ１）のドレイン電極に連結された液晶キャパシタ（Ｃｌｃ）を含む。
前記光感知部（ＬＳＰ）は、前記第１センサーライン（ＳＬ１）、第２センサーライン（ＳＬ２）、前記第１センサーライン（ＳＬ１）にゲート電極が連結された前記第２ＴＦＴ（Ｔ２）及び前記第２ＴＦＴにソース電極が連結され、前記第２センサーライン（ＳＬ２）にドレイン電極が連結された前記第３ＴＦＴ（Ｔ３）で構成される。
【００３１】
使用者が前記ライトペン８００を用いて液晶表示パネル４００の表示面４１０を通じて白色光（ＷＬ）を提供すると、前記白色光（ＷＬ）は前記Ｒ色画素を通過して赤色光（ＲＬ）に変更した後、前記液晶表示パネル４００に内装された前記光感知部（ＬＳＰ）に提供される。前記光感知部（ＬＳＰ）の前記第２ＴＦＴ（Ｔ２）は前記赤色光（ＲＬ）に応答して駆動する。
【００３２】
前記第２ＴＦＴ（Ｔ２）が駆動されると、前記データライン（ＤＬ）を通じて前記第２ＴＦＴ（Ｔ２）のソース電極に提供された第１信号は第２ＴＦＴ（Ｔ２）のドレイン電極に出力される。ここで、前記第１信号は、液晶表示パネルを駆動するための駆動部から出力され、画像情報を含んでおり、前記第１ＴＦＴ（Ｔ１）を経て液晶キャパシタに印加されるデータ駆動電圧である。
【００３３】
以後、前記ゲートライン（ＧＬ）に提供された第２信号によって前記第３ＴＦＴ（Ｔ３）が駆動される。その後、前記第２ＴＦＴ（Ｔ２）のソース電極から出力された前記第１信号は前記第３ＴＦＴのソース電極に提供された後、前記第３ＴＦＴ（Ｔ３）のドレイン電極に出力される。ここで、前記第２信号は、前記駆動部から出力され、前記第１ＴＦＴ（Ｔ１）のゲート電極に印加されるゲート駆動電圧である。したがって、前記液晶表示装置は液晶表示パネル４００に内装された光感知部（ＬＳＰ）を通じて前記液晶表示パネル４００の外部から提供される入力信号（即ち、光）を感知し、前記入力信号に応答して前記液晶表示パネル４００を駆動する。
【産業上の利用可能性】
【００３４】
このような液晶表示装置によると、カラーフィルタ基板はＲＧＢ色画素を具備し、アレイ基板は前記Ｒ色画素の下部に配置され、前記Ｒ色画素を通過した赤色光を感知するための光感知部（ＬＳＰ）を具備する。したがって、前記外部から提供される光が前記Ｒ色画素を通過しながら赤色光（ＲＬ）に変換され、前記光感知部に提供されることによって、前記光の効率を向上することができる。
【００３５】
また、前記光が前記Ｒ色画素を通過するために前記光の透過率を向上することができ、それによって前記光感知部のＴＦＴで発生されるフォト電流を増加させ、前記光感知部の感度を向上することができる。前記光感知部の感度が向上することによって前記液晶表示装置の動作特性が向上する。
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００３６】
【図１】本発明の一実施例による液晶表示装置を示した断面図である。
【図２】図１に示したカラーフィルタ基板を示した平面図である。
【図３】図１に示したアレイ基板を示した平面図である。
【図４】光の波長によるＲＧＢ色画素の各透過スペクトラムを示したグラフである。
【図５】図１に示した液晶表示パネルを示した分部断面図である。
【図６】図５に示したアレイ基板を示した平面図である。
【図７】図６に示したアレイ基板の画素部及び光感知部の等価回路図である。
【符号の説明】
【００３７】
１００    アレイ基板
２００    カラーフィルタ基板
２１０    カラーフィルタ
３００    液晶層
４００    液晶表示パネル
４１０    表示面
８００    ライトペン
８１０    発光ダイオード
【図１】
2006522980.tif 000004
【図２】
2006522980.tif 000005
【図３】
2006522980.tif 000006
【図４】
2006522980.tif 000007
【図５】
2006522980.tif 000008
【図６】
2006522980.tif 000009
【図７】
2006522980.tif 000010
【国際調査報告】
2006522980.tif 000011
2006522980.tif 000012